(57)【要約】【課題】ＵＳＢデバイスが接続された際に発生するエラーの原因を特定し、その原因をドライバーに報知することで、ユーザビリティを高める。【解決手段】  車載用再生装置には、報知部と、ＵＳＢ端子と、ＵＳＢ端子を介してＵＳＢデバイス内の識別情報若しくは再生データを読み出し、当該情報に基づいて報知部を制御する制御部とが備えられている。制御部は、制御部に対応可能なＵＳＢデバイスであるか否かを判断し、非対応のＵＳＢデバイスであると判断した場合には、報知部を制御してＵＳＢデバイスが非対応である旨を報知させる。制御部は、対応可能なＵＳＢデバイスであると判断した場合には、再生データの有無と、再生データの形式とから、制御部に対応する再生データを有するか否かを判断し、対応する再生データを有していないと判断した場合には、報知部を制御してＵＳＢデバイス内に対応可能な再生データがない旨を報知させる。【選択図】図１
2007178648.tif 000002
【特許請求の範囲】
【請求項１】
報知部と、
ＵＳＢデバイスが挿抜自在に接続されるＵＳＢ端子と、
前記ＵＳＢ端子を介して前記ＵＳＢデバイス内の識別情報若しくは再生データを読み出し、当該情報に基づいて前記報知部を制御する制御部とを備え、
前記制御部は、
前記識別情報の有無と、前記識別情報の内容とから、当該制御部に対応可能な前記ＵＳＢデバイスであるか否かを判断し、非対応の前記ＵＳＢデバイスであると判断した場合には、前記報知部を制御して前記ＵＳＢデバイスが非対応である旨を報知させて、
対応可能な前記ＵＳＢデバイスであると判断した場合には、前記再生データの有無と、前記再生データの形式とから、前記制御部に対応する再生データを有するか否かを判断し、前記対応する再生データを有していないと判断した場合には、前記報知部を制御して前記ＵＳＢデバイス内に対応可能な再生データがない旨を報知させることを特徴とする車載用再生装置。
【請求項２】
請求項１記載の車載用再生装置において、
前記制御部は、
前記ＵＳＢデバイスに所定の規定値よりも高い電流が流れている場合には、前記報知部を制御して前記ＵＳＢデバイスが過電流である旨を報知させることを特徴とする車載用再生装置。
【発明の詳細な説明】
【技術分野】
【０００１】
本発明は、車載用再生装置に関する。
【背景技術】
【０００２】
近年の録音技術の進歩により、音声データの音質の劣化を最小限に抑えて記録容量を圧縮するＭＰ３（MPEG-1 Audio Layer-3）、ＷＭＡ（Windows(登録商標) Media Audio）、ＡＡＣ（Advanced Audio Coding：登録商標）などの技術が開発されている。これら圧縮データはＵＳＢメモリやＣＤ等の記録媒体に記憶されていて、これらの記録媒体を音声再生装置で読み込ませることで、圧縮データを基にした音声再生が実行されるようになっている。
また、音声再生装置の機種によっては再生可能な圧縮フォーマットが異なるために、音声再生装置で非対応の圧縮フォーマットの音声データを認識したときには、フォーマットの確認や削除が行われるもの（例えば特許文献１参照）や、音声再生装置で対応可能な圧縮フォーマットの音声データを認識したときには、自動で音声再生を実行するもの（例えば特許文献２参照）が開発されている。このような技術は、カーオーディオ等の車載用再生装置に対しても適用されている。
【０００３】
ここでＵＳＢメモリ内の音声データの解析手順について図３のフローチャートを参照にして説明する。まずＵＳＢメモリが装置に挿入されて、データ転送可能な状態になると、音声再生装置は、当該ＵＳＢメモリに規定値以上の電流が流れているかどうかを判断し（ステップＳ１０１）、電流が規定値未満であると判断した場合にはステップＳ１０２に移行して、規定値以上であると判断した場合にはステップＳ１０６に移行する。
ステップＳ１０２では、音声再生装置はＵＳＢメモリ内の音声データを解析する。
ステップＳ１０３では、音声再生装置はＵＳＢメモリ内の音声データに再生可能な音声データがあるか否かを判断し、再生可能な音声データがある場合はステップＳ１０４に移行して、ない場合にはステップＳ１０６に移行する。
【０００４】
ステップＳ１０４では、音声再生装置は現在の再生メディアをＵＳＢメモリに切り替える。
ステップＳ１０５では、音声再生装置はＵＳＢメモリに記憶される音声データの再生を実行し、ＵＳＢメモリの解析を終了する。
ステップＳ１０６では、音声再生装置はエラーである旨を報知して、ＵＳＢメモリの解析を終了する。
これらの一連の工程によって、ＵＳＢメモリ内の音声データが解析されるようになっている。      
【特許文献１】特開２００１−９２７０４号公報
【特許文献２】特開２００２−２７８５９５号公報
【発明の開示】
【発明が解決しようとする課題】
【０００５】
ところで、ＵＳＢデバイスとしてはＵＳＢメモリ以外にも様々なものが存在しているため、音声再生装置にメモリ機能を有しないＵＳＢデバイスが接続される場合も考えられる。この際、上記のような工程であると、再生可能な音声データの有無でしかエラーを判断していないので、そのエラーの原因がメモリ機能を有しないＵＳＢデバイスが接続されたものであるか、音声データのフォーマット形式が装置に非対応であるのかを特定することは困難であった。特に、車載用再生装置においては運転中にＵＳＢデバイスが接続される場合も考えられるが、こうした場合、エラーの原因が特定されていないとスムーズな運転が阻害されるおそれがあった。
【０００６】
本発明の課題は、ＵＳＢデバイスが接続された際に発生するエラーの原因を特定し、その原因をドライバーに報知することで、ユーザビリティを高めることである。
【課題を解決するための手段】
【０００７】
請求項１記載の発明における車載用再生装置は、
報知部と、
ＵＳＢデバイスが挿抜自在に接続されるＵＳＢ端子と、
前記ＵＳＢ端子を介して前記ＵＳＢデバイス内の識別情報若しくは再生データを読み出し、当該情報に基づいて前記報知部を制御する制御部とを備え、
前記制御部は、
前記識別情報の有無と、前記識別情報の内容とから、当該制御部に対応可能な前記ＵＳＢデバイスであるか否かを判断し、非対応の前記ＵＳＢデバイスであると判断した場合には、前記報知部を制御して前記ＵＳＢデバイスが非対応である旨を報知させて、
対応可能な前記ＵＳＢデバイスであると判断した場合には、前記再生データの有無と、前記再生データの形式とから、前記制御部に対応する再生データを有するか否かを判断し、前記対応する再生データを有していないと判断した場合には、前記報知部を制御して前記ＵＳＢデバイス内に対応可能な再生データがない旨を報知させることを特徴としている。
【０００８】
請求項２記載の発明は、請求項１記載の車載用再生装置において、
前記制御部は、
前記ＵＳＢデバイスに所定の規定値よりも高い電流が流れている場合には、前記報知部を制御して前記ＵＳＢデバイスが過電流である旨を報知させることを特徴としている。
【発明の効果】
【０００９】
本発明によれば、ＵＳＢデバイスの識別情報の有無と、識別情報の内容とから、制御部に対応可能なＵＳＢデバイスであるか否かが判断されて、非対応のＵＳＢデバイスであると判断された場合には、報知部からＵＳＢデバイスが非対応である旨が報知される。一方、対応可能なＵＳＢデバイスであると判断された場合には、再生データの有無と、再生データの形式とから、制御部に対応する再生データを有するか否かが判断されて、対応する再生データを有していないと判断された場合には、報知部からＵＳＢデバイス内に対応可能な再生データがない旨が報知させる。これらのように、ＵＳＢデバイスが接続されてエラーが発見されたとしても、そのエラーの原因が特定されて報知部から報知されるので、ユーザはそのエラーに迅速に対処できることになる。
また、ＵＳＢデバイスが非対応である場合には、再生データの有無や再生データの形式を解析しなくともよいので、エラー自体を迅速にユーザに報知することも可能となる。
さらに、ＵＳＢデバイスに所定の規定値よりも高い電流が流れている場合には、報知部からＵＳＢデバイスが過電流である旨が報知されるので、エラーの原因である過電流をも特定して報知させることができる。
以上のように、エラーの原因を特定し報知できるので、ユーザビリティが高められることになる。
【発明を実施するための最良の形態】
【００１０】
以下、図面を参照しつつ、本発明の実施形態について説明する。図１は、本実施形態の車載用再生装置２の全体構成を示すブロック図である。この図１に示すように、車載用再生装置２は制御部４、表示部５、操作部６、ＵＳＢ端子７、ＣＤドライブ８、出力部９を備えて構成されている。
【００１１】
制御部４は、ＣＰＵ４ａ、ＲＯＭ４ｂ及びＲＡＭ４ｃを備えて構成されている。このうちＣＰＵ４ａは、ユーザの操作により操作部６から操作信号が送信されると、ＲＯＭ４ｂに記録されたオーディオプレーヤー用の各種制御プログラムやアプリケーションプログラムなどを読み出してＲＡＭ４ｃ内のプログラム格納領域に展開し、各種処理を実行して、この処理に際して生じる各種データをＲＡＭ４ｃ内に形成されるワークエリア（データ格納領域）に一時的に記憶させるようになっている。なお、本実施形態のＣＰＵ４ａの具体的構成については後述する。
【００１２】
ＲＯＭ４ｂは、ＣＰＵ４ａにより実行されるオーディオプレーヤー用の各種制御プログラムやその処理プログラムで処理されるデータ、圧縮された音声データを復元するコーデックなどを記憶するようになっている。
【００１３】
ＲＡＭ４ｃは、ＣＰＵ４ａが再生処理などの各種制御プログラムを実行する際に、図示しないプログラム格納領域にこれらのプログラムを展開するとともに、ＣＰＵ４ａがこれらの処理に際して読み取ったデータを図示しないデータ格納領域に格納するようになっている。
【００１４】
例えば、ＲＡＭ４ｃは、ＣＤドライブ８にディスクが装填されると、ディスクの最内周側の再生動作によって得られたＴＯＣ（Table Of Contents）情報を、データ格納領域に記録するようになっている。
【００１５】
表示部５は、本発明の報知部であり、ＬＣＤ（Liquid Crystal Display）などにより構成され、制御部４の制御に基づいて、所望の表示を行うようになっている。例えば、ＣＤドライブ８に装填されたディスク再生の進行時間、トラックナンバーなどのＴＯＣ情報や動作モードなどを表示するようになっている。
【００１６】
また、表示部５は、音声データ再生の際、音声データのタグ情報を構成する各項目をメニュー表示するようになっている。また、ユーザにより選択されたタグ情報項目に該当する情報内容を表示するようになっている。
【００１７】
操作部６は、再生キー、停止キー、カーソルキーなどの各種キーを備えて構成され、ユーザのキー操作による操作信号を制御部４に出力するようになっている。例えば、表示部５にタグ情報を構成する各項目がメニュー表示された際、ユーザによるカーソルキーの操作に応じて選択項目を表示設定する信号を制御部４に出力するようになっている。
【００１８】
ＵＳＢ端子７は、ＵＳＢデバイス３が挿抜自在に接続されるものであり、接続されたＵＳＢデバイス３内の識別情報や音声データ（再生データ）を車載用再生装置２に読み出すことが可能となるように構成されている。
【００１９】
ここで、ＵＳＢデバイス３の識別情報とは、当該ＵＳＢデバイス３の種類を識別するものであり、これが読み込まれると車載用再生装置２側でＵＳＢデバイス３の種類が認識されるようになっている。なお、この識別情報は、ＵＳＢデバイス３によっては付与されていないものもある。
そして、ＵＳＢデバイス３の種類には、メモリ機能を有したＵＳＢメモリや、メモリ機能を有していないＵＳＢデバイスなどがある。ＵＳＢメモリであると、種々の再生データが記憶されることになるが、例えば音声データである場合には、ＭＰ３形式、ＷＭＡ形式、ＡＡＣ（登録商標）形式又はＡＴＲＡＣ３形式などの圧縮された音声データが記憶されることになる。また、ＵＳＢメモリであってもその記憶容量によってマスストレージクラスのものか、否かが判断される。なお、メモリ機能を有するＵＳＢデバイスであると、総記憶容量も識別情報に付されていることが好ましい。
【００２０】
ＣＤドライブ８は、ＣＤ−ＲＯＭやＣＤ−ＴＥＸＴなどのディスクを装填することができるように構成されており、装填されたディスクを回転するスピンドルモータ、ディスクの信号を読む光ピックアップ、ディスクから読み出した信号を増幅し各種演算処理を施すＲＦアンプなどを備え、制御部４の制御により、読み出した信号を図示しないＤ／Ａ変換器及び増幅回路を介して出力部９から外部に出力するようになっている。
【００２１】
出力部９は、図示しないヘッドホン端子又は本体に内蔵されるスピーカなどを備えて構成されており、図示しない増幅回路で増幅された再生音声信号を外部に出力するようになっている。
【００２２】
次に、本実施形態のＣＰＵ４ａの具体的構成について説明する。
【００２３】
ＣＰＵ４ａは、ＵＳＢデバイス３に所定の規定値よりも高い電流が流れている場合には、ＵＳＢデバイス３が過電流であると判断して、その旨がエラーの原因として表示されるように表示部５を制御する。
【００２４】
過電流なＵＳＢデバイス３でない場合には、ＣＰＵ４ａは、ＵＳＢ端子７を介してＵＳＢデバイス３内の識別情報若しくは音声データを読み出し、当該情報に基づいて表示部５を制御する。具体的に説明すると、ＣＰＵ４ａは、当該ＵＳＢデバイス３における識別情報の有無を判断し、識別情報を有する場合にはその内容から、制御部４に対応可能なＵＳＢデバイス３であるか否かを判断する。ここで、識別情報がない場合には非対応のＵＳＢデバイス３であると判断するとともに、識別情報はあるもののその内容、つまり当該ＵＳＢデバイス３の種類がメモリ機能を有さないＵＳＢデバイスである場合にも、非対応のＵＳＢデバイス３であると判断し、その旨がエラーの原因として表示されるように表示部５を制御する。
一方、識別情報を有し、その内容がＵＳＢメモリ若しくは一部にメモリ機能を有するＵＳＢデバイスであるものに対してＣＰＵ４ａは対応可能なＵＳＢデバイス３と判断する。
そして、例えば制御部４がマスストレージクラスのＵＳＢデバイス３にしか対応していない場合には、識別情報の内容がＵＳＢメモリ若しくは一部にメモリ機能を有するＵＳＢデバイスであっても、識別情報内の総記憶容量がマスストレージクラスでないものであれば、ＣＰＵ４ａは非対応のＵＳＢデバイス３として判断し、その旨がエラーの原因として表示されるように表示部５を制御する。
【００２５】
さらにＣＰＵ４ａは、接続されたＵＳＢデバイス３が、対応可能なＵＳＢデバイス３と判断した場合には、ＵＳＢデバイス３内の音声データの有無を判断する。この際、音声データがない場合には、ＣＰＵ４ａは再生可能な音声データが存在しないと判断し、その旨がエラーの原因として表示されるように表示部５を制御する。
他方、音声データがある場合には、ＵＳＢデバイス３内の音声データを全て解析し、制御部４のＲＯＭ４ｂ中に格納されたコーデックに対応する音声データを有しているか否かを判断する。ＣＰＵ４ａは、対応する音声データを有していないと判断した場合には、その旨がエラーの原因として表示されるように表示部５を制御する。また、対応する音声データを有していると判断した場合には、当該音声データをＲＯＭ４ｂ中のコーデックに基づいて復元して、再生する。
【００２６】
次に、本実施形態に係る車載用再生装置２の動作について、図２のフローチャートを参照して説明する。
まず、ＣＰＵ４ａは、ＵＳＢデバイス３がＵＳＢ端子７に挿入されて、データ転送可能な状態になると、当該ＵＳＢデバイス３に規定値以上の電流が流れているかどうかを判断し（ステップＳ１）、電流が規定値未満であると判断した場合にはステップＳ２に移行して、規定値以上であると判断した場合にはステップＳ７に移行する。
【００２７】
ステップＳ２では、ＣＰＵ４ａはＵＳＢデバイス３における識別情報の有無及び当該識別情報の内容から、このＵＳＢデバイス３が車載用再生装置２に対応したものであるか否かを判断し、対応可能なものであると判断した場合にはステップＳ３に移行し、非対応のものであると判断した場合にはステップＳ８に移行する。
【００２８】
ステップＳ３では、ＣＰＵ４ａはＵＳＢデバイス３内のデータを解析する。
ステップＳ４では、ＣＰＵ４ａはＵＳＢデバイス３内に再生可能な音声データがあるか否かを判断し、再生可能な音声データがある場合はステップＳ５に移行して、ない場合にはステップＳ９に移行する。
【００２９】
ステップＳ５では、ＣＰＵ４ａは、現在の再生メディアをＵＳＢデバイス３に切り替える。
ステップＳ６では、ＣＰＵ４ａはＵＳＢデバイス３に記憶される音声データをＲＯＭ４ｂ中のデコーダを基に復元して、再生を実行し、ＵＳＢデバイス３の解析を終了する。
【００３０】
ステップＳ７では、ＣＰＵ４ａは、表示部５を制御して、ＵＳＢデバイス３が過電流である旨を報知させて、ＵＳＢデバイス３の解析を終了する。
ステップＳ８では、ＣＰＵ４ａは、表示部５を制御して、ＵＳＢデバイス３が非対応のものである旨を報知させて、ＵＳＢデバイス３の解析を終了する。
ステップＳ９では、ＣＰＵ４ａは、表示部５を制御して、ＵＳＢデバイス３内に対応可能な音声データがない旨を報知させて、ＵＳＢデバイス３の解析を終了する。
【００３１】
以上のように、本実施形態の車載用再生装置２によれば、ＵＳＢデバイス３の識別情報の有無と、識別情報の内容とから、制御部４に対応可能なＵＳＢデバイス３であるか否かが判断されて、非対応のＵＳＢデバイス３であると判断された場合には、表示部５からＵＳＢデバイス３が非対応である旨が報知される。一方、対応可能なＵＳＢデバイス３であると判断された場合には、音声データの有無と、音声データの形式とから、制御部４に対応する音声データを有するか否かが判断されて、対応する音声データを有していないと判断された場合には、表示部５からＵＳＢデバイス３内に対応可能な音声データがない旨が報知させる。これらのように、ＵＳＢデバイス３が接続されてエラーが発見されたとしても、そのエラーの原因が特定されて表示部５から報知されるので、ユーザはそのエラーに迅速に対処できることになる。
また、ＵＳＢデバイス３が非対応である場合には、音声データの有無や音声データの形式を解析しなくともよいので、エラー自体を迅速にユーザに報知することも可能となる。
さらに、ＵＳＢデバイス３に所定の規定値よりも高い電流が流れている場合には、表示部５からＵＳＢデバイス３が過電流である旨が報知されるので、エラーの原因である過電流をも特定して報知させることができる。
これらのように、エラーの原因を特定し報知できるので、ユーザビリティが高められることになる。
【００３２】
なお、本発明は上記実施形態に限らず適宜変更可能であるのは勿論である。
例えば、本実施形態では、表示部５を本発明の報知部として例示して説明したが、聴覚的な報知を行うのであれば出力部９を報知部とすることも可能である。
【図面の簡単な説明】
【００３３】
【図１】本実施形態に係る車載用再生装置の主制御構成を表すブロック図である。
【図２】図１の車載用再生装置の動作を表すフローチャートである。
【図３】従来の車載用再生装置の動作を表すフローチャートである。
【符号の説明】
【００３４】
２      車載用再生装置
３      ＵＳＢデバイス
４      制御部
５      表示部
６      操作部
７      ＵＳＢ端子
８      ＣＤドライブ
９      出力部
【図１】
2007178648.tif 000003
【図２】
2007178648.tif 000004
【図３】
2007178648.tif 000005